(57)【特許請求の範囲】
【請求項１】
機器本体と、
上記機器本体に回動可能に設けられている蓋体と、
上記機器本体に設けられ、記録媒体に対し記録又は再生を行う記録再生手段と、
上記蓋体に設けられる係合手段と、
上記機器本体に、上記係合手段に係合される第１の位置と上記係合手段との係合状態が解除される第２の位置とに亘って移動可能に取り付けられるロック手段と、
上記ロック手段を移動操作するための操作手段と、
上記ロック手段を上記係合手段と係合する上記第１の位置の方向へ付勢する弾性手段とを備え、
上記ロック手段は、一端側に対して他端側が傾斜したガイド孔を有し、このガイド孔に機器本体側のガイド軸を係合させて上記機器本体に移動可能に取り付けられ、
上記蓋体を開放位置から閉方向に回動操作する際、上記係合手段が上記ロック手段に突き当てられた後更に上記蓋体を閉方向に回動すると、上記ロック手段は、上記係合手段に押圧されて上記弾性手段の弾性力に抗して上記ガイド孔に従って上記第１の位置から上記第２の位置に移動すると共に上記係合手段から離れる方向に回動し、
上記係合手段から離れる方向に回動した後、上記ロック手段は、上記弾性体の弾性力によって上記ガイド孔に従って上記第２の位置から上記第１の位置側に移動すると共に上記回動方向とは逆方向に回動して上記係合手段に係合することを特徴とする記録再生装置。
【請求項２】
上記係合手段は、自由端側から基端側に向かって下がる傾斜面が形成されていることを特徴とする請求項１記載の記録再生装置。
【請求項３】
上記蓋体は、基端側において上記機器本体に回動自在に支持され、自由端側に上記係合手段が設けられることを特徴とする請求項１又は２記載の記録再生装置。
【請求項４】
上記蓋体には、閉塞時において開方向に付勢する付勢手段が設けられることを特徴とする請求項１乃至３のうち何れか１項記載の記録再生装置。
【発明の詳細な説明】
【０００１】
【発明の属する技術分野】
本発明は、例えば記録媒体に対する記録又は再生を行う記録再生部が設けられた機器本体を閉塞する蓋体をロックするロック機構を備えた記録再生装置に関する。
【０００２】
【従来の技術】
例えば、ディスクカートリッジを記録媒体として用いる携帯型の記録再生装置は、ディスクカートリッジが装填され記録又は再生が行われる記録再生部が構成される機器本体と、この機器本体に基端側で回動自在に支持されると共に記録再生部を閉塞する蓋体とを備える。そして、機器本体の記録再生部には、ディスクカートリッジの記録又は再生を行うための光ピックアップと磁気ヘッドとからなる記録再生機構が設けられている。一方、蓋体は、外筐体の一部を構成する蓋本体と、この蓋本体内面側に取り付けられディスクカートリッジを保持するカートリッジホルダを備える。
【０００３】
このような記録再生装置は、蓋体が記録再生部を開放した状態において、カートリッジホルダへのディスクカートリッジの挿入操作又はカートリッジホルダからのディスクカートリッジの取り出し操作が行われる。蓋体は、カートリッジホルダにディスクカートリッジが挿入されると、記録再生部を閉塞する閉方向に回動操作され、カートリッジホルダに保持されたディスクカートリッジを記録再生部に装着される。これにより、ディスクカートリッジは、記録再生機構により記録又は再生が可能な状態にされる。
【０００４】
ところで、このような記録再生装置には、ディスクカートリッジの記録又は再生中に蓋体が開方向に回動されないように蓋体のロック機構２００が備えられている。このロック機構は、図１４に示すように、機器本体の外筐体の一部を構成するディスクカートリッジの挿脱操作が行われる前面側の立上がり壁内面に取り付けられる基板２０１と、蓋体を記録再生部を閉塞した閉状態に維持するロック部材２０２と、このロック部材２０２に取り付けられると共に立上がり壁より外方に臨まされる操作部材２０３とを備える。また、ロック機構２００は、蓋体前面側に設けられロック部材２０２に設けられるロック爪に係合される係合部２０５を有する。そして、ロック部材２０２は、一方の端部が基板に係止されたコイルバネ２０６により一方向に付勢されている。すなわち、ロック部材２０２は、コイルバネ２０６により蓋体を閉塞位置に保持するロック位置の方向、すなわち図中ａ方向に付勢されている。一方、蓋体側の係合部２０５は、蓋体の前面側の内面に略Ｌ字状をして形成されている。
【０００５】
このようなロック機構２００は、蓋体を閉方向に回動操作し記録再生部を閉塞する場合、先ず、蓋体側の係合部２０５の端面がロック部材２０２のロック爪の上面側の傾斜面に突き当てられる。そして、蓋体がさらに閉方向に押圧操作されると、係合部２０５の端面は、ロック爪の傾斜面を押圧し、ロック部材２０２をコイルバネ２０６の弾性力に抗してロック解除位置の方向である図中矢印ｂ方向に移動させる。蓋体が押圧操作されることで蓋体側の係合部２０５がロック爪の先端を通過すると、ロック部材２０２は、再びコイルバネ２０６の弾性力により図中矢印ａ方向に移動されロック位置に位置されることになる。これにより、蓋体は、記録再生部を閉塞した状態に維持される。
【０００６】
また、蓋体が記録再生部を閉塞した状態から例えばディスクカートリッジの挿脱操作を行うため、記録再生部を開放した開状態にする場合には、次のように操作される。すなわち、利用者により操作部材２０３が図中矢印ｂ方向にスライド操作されると、これと共にロック部材２０２も矢印ｂ方向に移動される。すると、ロック部材２０２は、ロック位置からロック解除位置に移動されロック爪と係合部との係合状態が解除されることになり、蓋体の開方向への操作が可能な状態にさせる。この状態で、蓋体は、開方向に回動操作され、記録再生部を開放した状態にされる。
【０００７】
【発明が解決しようとする課題】
ところで、このようなロック機構２００は、上述したように、記録再生部を閉塞する際、蓋体に設けられた係合部によりロック部材２０２が図中矢印ａ又はｂ方向に移動されることで、蓋体を閉状態に維持する。蓋体を閉方向に回動操作する際、蓋体は、利用者により、前面側にコーナー部を押圧して操作される場合がある。このような場合、蓋体は、その剛性によっては、捻れを生じ変形してしまうことがあり、着実に蓋体の係合部２０５に確実にロック爪が係合されない場合が生じる。すなわち、蓋体が捻れることにより、係合部２０５が傾斜してしまい、ロック部材２０２がロック位置に完全に戻る前にロック爪の先端部が係合部２０５に突き当たりロック爪が係合部２０５に確実に係合しない場合が生じてしまうことになる。そのため、蓋体は、記録再生部を閉塞した状態において、がたつきを有することになる。例えば、ディスクカートリッジの記録又は再生中にあっては、蓋体ががたつくことにより、ディスクカートリッジまでがたつき確実に記録又は再生ができない場合が生じることになる。
【０００８】
また、基板２０１の取付位置がずれた場合、着実に蓋体をロックできなくなる。すなわち、蓋体が着実にロックされるか否かは、基板２０１及びロック部材２０２の取付精度に大きく依存することになり、これら部材の取付作業が極めて煩雑となっていた。
【０００９】
さらに、このようにロック部材２０２が完全にロック位置に戻らない場合には、ロック部材２０２に取り付けられている操作部材２０３についても、所定の位置に戻らなくなり装置全体の外観を害してしまうことになる。
【００１０】
さらにまた、上述のような場合に操作部材２０３が所定位置戻らないことを防止するために、ロック部材２０２に取り付けられるコイルバネ２０６とは別のバネを操作部材２０３に取り付け、操作部材２０３がロック部材２０２の状態に影響されないようにすることもできる。しかしながら、このような方法は、バネを２つ必要とすることから、装置全体の小型化の妨げになると共に部品点数の増加につながる。
【００１１】
さらにまた、上述したロック機構２００は、ロック部材２０２をロック位置に付勢するために用いるコイルバネ２０６を用いている。コイルバネ２０６は、全体として螺旋状に形成されているため、装置内における占有する体積が大きくなり、装置全体の小型化の妨げになっていた。
【００１２】
そこで、本発明は、装置全体の小型化に寄与しうると共に着実に蓋体をロックすることのできる記録再生装置を提供することを目的とする。
【００１３】
【課題を解決するための手段】
本発明に係る記録再生装置は、上述のような課題を解決すべく、機器本体と、上記機器本体に回動可能に設けられている蓋体と、上記機器本体に設けられ、記録媒体に対し記録又は再生を行う記録再生手段と、上記蓋体に設けられる係合手段と、上記機器本体に、上記係合手段に係合される第１の位置と上記係合手段との係合状態が解除される第２の位置とに亘って移動可能に取り付けられるロック手段と、上記ロック手段を移動操作するための操作手段と、上記ロック手段を上記係合手段と係合する上記第１の位置の方向へ付勢する弾性手段とを備える。上記ロック手段は、一端側に対して他端側が傾斜したガイド孔を有し、このガイド孔に機器本体側のガイド軸を係合させて上記機器本体に移動可能に取り付けられる。そして、上記蓋体を開放位置から閉方向に回動操作する際、上記係合手段が上記ロック手段に突き当てられた後更に上記蓋体を閉方向に回動すると、上記ロック手段は、上記係合手段に押圧されて上記弾性手段の弾性力に抗して上記ガイド孔に従って上記第１の位置から上記第２の位置に移動すると共に上記係合手段から離れる方向に回動する。上記係合手段から離れる方向に回動した後、上記ロック手段は、上記弾性体の弾性力によって上記ガイド孔に従って上記第２の位置から上記第１の位置側に移動すると共に上記回動方向とは逆方向に回動して上記係合手段に係合する。
【００１６】
【発明の実施の形態】
以下、実施の形態では、本発明に係る蓋体のロック機構及び電子機器について、本発明が適用されたディスクカートリッジの再生装置を図面を用いて詳細に説明する。すなわち、本発明が適用された再生装置１０は、図１に示すように、声信号等の情報信号が記録される光磁気ディスクを記録媒体として、この光磁気ディスクをカートリッジ本体内に回転自在に収納したディスクカートリッジ１を再生するものである。
【００１７】
ここで用いられるディスクカートリッジとしては、情報信号の再記録を可能とする光磁気ディスク２を収納した図１に示すように構成されたディスクカートリッジ１が用いられる。
【００１８】
情報信号の再記録を可能とする光磁気ディスク２は、直径が例えば６４ｍｍ程度のポリカーボネート樹脂等の透明な合成樹脂材料より形成されるディスク基板に、垂直磁化膜よりなる信号記録層が被着形成されて構成されている。この信号記録層は、光ピックアップの光源から出射された光ビームにより局所的にキュリー温度以上に加熱され、この加熱された部分に外部磁界が印加されることにより、情報信号の記録が行われる。また、このように記録された情報信号は、信号記録層に直線偏光された光ビームを照射し、信号記録層から反射される戻り光のカー効果による偏光方向の回転を光検出器により読み出される。
【００１９】
そして、ディスクカートリッジ１は、光磁気ディスク２の外径を略内接円とする方形状のカートリッジ本体３を備える。このカートリッジ本体３には、その上面側に、図１に示すように、収納した光磁気ディスク２の信号記録領域の一部を内外周に亘って外方に臨ませる磁気ヘッドが進入する開口部と、図示しないがこの開口部に対向して同じく光磁気ディスク２の信号記録領域の一部を外方に臨ませる光ピックアップ用の開口部とからなる記録再生開口部４が設けられている。さらには、カートリッジ本体３には、下面側に、光磁気ディスク２を回転操作するディスク駆動機構であるディスクテーブルが進入する円形のディスクテーブル用の中央開口部６が設けられている。この中央開口部６からは、ディスクテーブルに配設されたマグネットに吸引可能とさせる磁性を有する金属材料によりなるハブ７が外方に臨まされている。
【００２０】
そして、カートリッジ本体３には、記録再生開口部４を閉塞するシャッタ部材５が取り付けられている。このシャッタ部材５は、薄い金属板を打ち抜き折り曲げて形成され、記録再生開口部４を覆うに足る大きさを有する主面部とこれら主面部を連結する連結部とから構成され、全体として断面コ字状に形成されている。このように構成されるシャッタ部材５は、各主面部が各記録再生開口部４を覆うようにしてカートリッジ本体３の前面側に取り付けられ、この前面側に沿って移動することにより各記録再生開口部４を開閉する。なお、このシャッタ部材５は、合成樹脂材料により成形しても良いのは勿論である。
【００２１】
以上のように構成されたディスクカートリッジ１は、シャッタ部材５が移動する前面側と直交する一側面を挿入端として再生装置１０に対して挿脱がされる。すなわち、ディスクカートリッジ１は、図１中Ｘ1方向から再生装置１０に挿入され、また、同図Ｘ1方向とは反対方向から取り外される。
【００２２】
なお、再生装置１０は、このような情報信号の記録可能な光磁気ディスクを記録媒体として用いる他、情報信号に対応した凹凸よりなるピット列が形成されたディスク基板にアルミニウム等の金属材料よりなる反射層が形成された再生専用の光ディスクがカートリッジ本体に収納されたディスクカートリッジを記録媒体として用いることも可能である。
【００２３】
以上のようなディスクカートリッジを記録媒体として用いられる再生装置１０は、図１及び図２に示すように、ディスクカートリッジ１とほぼ同じ大きさに形成され、小型で携帯性に優れた構成となっている。この再生装置１０は、ディスクカートリッジ１の再生が行われる再生部が構成される機器本体１１と、上記再生部を閉塞する機器本体１１に回動可能に支持された蓋体１２とを備える。機器本体１１には、ディスクカートリッジ１の挿脱操作が行われる機器本体１１の前面側に音声を出力するイヤホン側のコネクタが接続されるジャック部１３が設けられている。また、機器本体１１の前面側に、装置に機能をホールドさせるホールド摘み１４と、詳細は後述するがジャック部１３とは反対側に設けられる蓋体１２の開閉操作を行うための操作部材９３とが配設されている。この操作部材９３は、詳細は後述するが蓋体１２のロック機構の一部を構成する。
【００２４】
さらには、機器本体１１の一方の側面で前面側と対向する側に、機器本体１１内に構成された電池収納部の電池挿脱用開口部１６を閉塞する電池蓋１７が取り付けられている。ここで用いられる電池１８は、図１に示すように、全体として略薄板状に形成されている。この電池蓋は、詳細は省略するが機器本体１１の側面に回動自在に取り付けられたガイド板にスライド可能に取り付けられている。このガイド板は、導電材料よりなり、接続端子としても機能する。そして、電池蓋１７は、電池１８が電池収納部に収納されると、電池蓋１７が電池挿脱用開口部１６を閉塞する方向に回動され、この後、電池蓋１７が、機器本体１１の側面に沿ってスライドされることにより、電池挿脱用開口部１６を確実に閉塞する。
【００２５】
一方、蓋体１２には、その主面に、液晶表示パネルが臨まされる表示部１９が設けられている。表示部１９では、動作中の装置の動作状況が表示される。そして、この表示部１９の隣には、入力部が構成されている。この入力部は、ディスクカートリッジ１の再生を開始する操作を行うための再生ボタン２１と、順方向又は逆方向にスキップ操作を行うためのスキップボタン２２と、装置の操作を停止させるための停止ボタン２３とを備える。また、入力部は、これら操作ボタン２１，２２，２３の近傍に配設されるイヤホン等から出力される音声等の音量を調節するための音量調節ボタン２４，２５を備える。
【００２６】
このような再生装置１０は、図１に示すように、蓋体１２が開方向に回動され再生部を開放した状態において、ディスクカートリッジ１の挿脱操作が行われ、図２に示すように、蓋体１２が閉状態にあり、再生部を閉塞した状態において、ディスクカートリッジ１の再生が行われる。
【００２７】
このような再生装置１０を構成する機器本体１１は、図３に示すように、ディスク駆動機構と再生機構とが配設されるメインシャーシ３１と、このメインシャーシ３１を囲むように取り付けられ、蓋体１２と接続する補助ホルダ３２と、オーディオ回路等の電気回路が組み込まれたプリント配線基板３３と、機器本体１１の底面と側面の一部を構成する筐体３４と、機器本体１１の側面の一部を構成する外周フレーム３５とを備える。一方、蓋体１２は、メインシャーシ３１に回動自在に取り付けられるカートリッジホルダ３６と、蓋体１２の外装面を構成する蓋本体３７とを備える。
【００２８】
メインシャーシ３１は、マグネシウム合金等の金属材料により略平板状に、ディスクカートリッジ１０の主面の外形寸法よりやや大とされた大きさをして形成され、ディスクカートリッジ１０の再生が行われる再生部４１を構成する。そして、メインシャーシ３１には、その中央領域に、ディスク駆動機構が備えられている。
【００２９】
このディスク駆動機構は、再生部４１の中央に設けられ、メインシャーシ３１の下面側に配設される図示しない駆動モータと、この駆動モータの駆動軸を介してメインシャーシ３１上に取り付けられるディスクテーブル４２とを備える。ディスクテーブル４２は、全体が円盤状を呈して形成され、その内部にマグネットが配設されている。そして、ディスクテーブル４２は、ディスクカートリッジ１が再生部４１に装着されると、ディスクカートリッジ１のハブ７を磁気吸着して、ハブ７に嵌合される。このように再生部４１に装着されたディスクカートリッジ１０は、駆動モータの駆動軸の同軸上に光磁気ディスク２の中心が配設され、位置決めがされた状態で、ディスクテーブル４２が駆動モータにより回転されて、光磁気ディスク２が回転操作される。
【００３０】
また、メインシャーシ３１には、その下側にディスク駆動機構に隣り合って再生機構を構成する光ピックアップ４３を外方に臨ませるピックアップ用開口部４４が設けられている。そして、このピックアップ用開口部４４は、ディスクカートリッジ１のシャッタ部材５が記録再生開口部４を開放した状態で再生部４１に装着された際に、光ピックアップ４３が記録再生開口部４より外方に臨まされる光磁気ディスク２の内外周に亘って移動できるように、光ピックアップ４３の移動領域に対応して形成されている。すなわち、光ピックアップ４３は、詳細は後述する対物レンズ４５が光磁気ディスク２の記録領域に対向して配設される。
【００３１】
この光ピックアップ４３は、光学ブロック部を有し、この光学ブロック部内に、半導体レーザ等よりなる光源と、この光源から出射された光ビーム光磁気ディスク２へと導く光学デバイス及び対物レンズ４５とを備える。光ピックアップ４３は、光源より出射される光ビームを光学デバイス、対物レンズ４５を介して光磁気ディスク２の表面の信号記録層に集光して照射できるように構成されている。また、この光ピックアップ４３は、光磁気ディスク２に照射された光ビームの反射光を上記対物レンズ４５及び光学デバイスを介して検出する。また、この光ピックアップ４３は、光量及び偏光方向の回転角を検出することができる。そして、光ピックアップ４３は、光磁気ディスク２より情報信号の読み出しを行うようにされている。
【００３２】
このように構成される光ピックアップ４３は、ピックアップ送り機構により移動される。この送り機構は、ピックアップ送りモータ４６と、メインシャーシ３１の下側に互いに平行に取り付けられ光ピックアップ４３の移動方向をガイドするガイドシャフト４７と、ピックアップ送りモータ４６と図示しない伝達ギヤを介して接続されると共にガイドシャフト４７に平行に取り付けられ光ピックアップ４３を移動させる図示しないスクリューシャフトとを備える。送り機構は、ピックアップ送りモータ４６が駆動されスクリューシャフトが軸周りに回転されることにより、光ピックアップ４３の送り操作を行う。
【００３３】
また、メインシャーシ３１には、その上面側であって再生部４１でのディスクカートリッジ１の位置決めを行うための位置決めピン４８が再生部４１の前縁側及び後縁側の２か所に植立されている。位置決めピン４８は、メインシャーシ３１にディスクカートリッジ１に載置された際、ディスクカートリッジ１側の位置決め穴に嵌合されて、メインシャーシ３１に対してディスクカートリッジ１０の位置決めを行う。
【００３４】
また、再生部４１には、メインシャーシ３１の後端側にディスクカートリッジ１を外方に排出するイジェクト機構５０が設けられている。このイジェクト機構５０は、ディスクカートリッジ１の再生部４１への挿入端側の側面が突き当てられるイジェクトレバーを備える。イジェクト機構５０は、蓋体１２が再生部４１を開放した場合に限って、ディスクカートリッジ１を外方に向かって押しだし排出する。
【００３５】
また、このメインシャーシ３１には、その後方にカートリッジホルダ３６を回動自在に支持するための一対の支持部材５１ａ，５１ｂが取り付けられている。支持部材５１ａ，５１ｂには、支持部材５１ａ，５１ｂは、その中央に支軸が互いに内方に向かって植立されている。この支軸は、後述するカートリッジホルダ４２の軸穴７６に嵌合される。
【００３６】
このように構成されるメインシャーシ３１は、ディスクカートリッジ１が再生部４１に載置された際、位置決めピン４８によりカートリッジ本体３の位置決めを行うと共に、ディスクテーブル４２にハブをマグネットチャッキングさせることで、光磁気ディスク２の位置決めを行い光磁気ディスク２を回転させる。
【００３７】
補助ホルダ３２は、ステンレス等の軽量の金属材料よりなり、メインシャーシ３１とほぼ同じ大きさをした枠体５２と、この枠体５２の相対向する側壁に回動可能に支持される一対の回動アーム部５３，５４とを備える。枠体５２及び回動アーム５３，５４には、その側壁に全体の軽量化を図るため複数の打抜き孔５５が枠体５２の機械的強度を保持できる程度に形成されている。また、枠体５２には、その後端側にメインシャーシ３１を支持する支持部５６が設けられている。この支持部５６には、メインシャーシ３１の取付け位置を位置決めするための位置決め突起５７が植立されている。メインシャーシ３１は、枠体５６に図３中上側から填め込まれ、図示しないがメインシャーシ３１の裏面側に位置決め突起５７に対応して設けられた位置決め孔に位置決め突起５７が嵌合するように位置決めされて取り付けられる。
【００３８】
また、枠体５２の前面側の側壁には、装置内に配設されるプリント配線基板３３に配設されるジャック部１３を外方に臨ませると共に位置決めを図るためのジャック用開口部５８が設けられ、また、上述したホールドスイッチを外方に臨ませるためのホールドスイッチ用開口部５９が設けられている。さらには、枠体５２の前面側側壁には、詳細は後述するが蓋体１２が再生部４１を閉塞した状態にロックするためのロック機構９０が設けられる。
【００３９】
回動アーム５３，５４は、図４及び図５に示すように、基端側を枠体５２の後方側部分に対して、支軸６１ａ，６１ｂを介して回動可能に支持されている。回動アーム５３，５４には、支軸６１ａ，６１ｂを中心として回動アーム５３，５４の回動領域を規制する円弧状の回動領域規制孔６２ａ，６２ｂが設けられている。これら回動領域規制孔６２ａ，６２ｂには、枠体５２の側面部に突設された規制片６３ａ，６３ｂが対応して挿通されている。すなわち、回動アーム５３，５４は、規制片６３ａ，６３ｂが回動領域規制孔６２ａ，６２ｂに挿通されることで枠体５２に対する回動角度を所定角度内で規制されている。
【００４０】
また、回動アーム５３，５４には、板バネ状の弾性片６４ａ，６４ｂが設けられている。そして、この弾性片６４ａ，６４ｂの先端部には、突起６５ａ，６５ｂが設けられている。弾性片６４ａ，６４ｂは、枠体５２側に回動操作された時、突起６５ａ，６５ｂを枠体５２の側方の側壁部に設けられた開口部６６ａ，６６ｂに係合させる。回動アーム５３，５４は、枠体５２側に回動操作された時、突起６５ａ，６５ｂが開口部６６ａ，６６ｂに係合された状態にある。そして、回動アーム５３，５４が枠体５２と離間する開方向に回動操作されると、弾性片６４ａ，６４ｂが枠体５２の側壁により弾性変位し、枠体５２の側壁の上側に乗り上げる。この際、弾性片６４ａ，６４ｂは、利用者にクリック感を与えると共に、回動アーム５３，５４を開状態に保持させる。
【００４１】
また、回動アーム５３，５４の前端側部分には、カートリッジホルダ３６と接続するためのカートリッジホルダ３６用の開口部６７ａ，６７ｂが設けられている。この開口部６７ａ，６７ｂには、詳細は後述するカートリッジホルダ３６側の係合片７７ａ，７７ｂが係合される。これにより、カートリッジホルダ３６は、回動アーム５３，５４の回動動作に伴って回動される。
【００４２】
このように構成される補助ホルダ３２には、図３に示すように、その下側にプリント配線基板３３がネジ止めされて取り付けられる。プリント配線基板３３には、複数の電子部品６８が実装され、装置の制御回路となる信号処理回路、電源回路、オーディオ回路等が設けられている。信号処理回路は、上述した入力部での入力に応じて再生機構やディスク駆動機構を制御する。また、プリント配線基板３３には、ジャック部１３が実装されている。さらに、プリント配線基板３３には、上述したホールド摘み１４に対応してホールドスイッチ６９が実装されている。さらにまた、プリント配線基板３３には、その裏面側に電池１８が収納される電池収納部を構成する電池ホルダ７１がネジ止めして取り付けられる。そして、このようなプリント配線基板３３が取り付けられた補助ホルダ３２には、装置本体１１の底面と側面の一部を構成する筐体３４が取り付けられる。
【００４３】
外周フレーム３５は、図３に示すように、合成樹脂材料よりなり、全体としてコ字状に形成されている。外周フレーム３５には、その前面側に、ジャック部１３を外方に臨ませるためのジャック部用の開口部７２が形成され、また、同じく前面側に、ロック機構を構成する操作部材９３がスライド可能に取り付けられている。そして、このような外周フレーム３５は、補助ホルダ３２の前面側から取り付けられる。
【００４４】
一方、蓋体１２を構成するカートリッジホルダ３６は、ディスクカートリッジ１の再生部４１に保持できるように構成される。カートリッジホルダ３６は、再生専用機であるため情報信号の記録のために用いる磁気ヘッドを取り付ける必要がないことから、天板部が大きく開口部７３が形成される。そして、カートリッジホルダ３６は、この天板部の両側縁より下方向に垂下された側壁部７４ａ，７４ｂと、この側壁部７４ａ，７４ｂより内方に曲折された支持部７５ａ，７５ｂとを備える。そして、このカートリッジホルダ３６は、金属材料が屈曲形成されて、一体的に形成されている。カートリッジホルダ３６は、ディスクカートリッジ１が前方側より天板部下側で側壁部７４ａ，７４ｂ間に挿入されると、各支持部７５ａ，７５ｂにディスクカートリッジ１の側縁部が支持されて保持される。
【００４５】
このカートリッジホルダ３６には、側壁部６３ｂの中途部に、図示しないが内方に向かって、シャッタ開放片が突設されている。このシャッタ開放片は、カートリッジホルダ３６にディスクカートリッジ１が挿入された時、ディスクカートリッジ１のガイド溝に進入し、シャッタ部材５の連結部の前端部に当接し、ディスクカートリッジ１がカートリッジホルダ３６内に収納された時に、シャッタ部材５をスライドさせ開状態とする。
【００４６】
また、カートリッジホルダ４２には、側壁部６３ａ，６３ｂの後方に平行に軸穴７６ａ，７６ｂが穿設されている。これら軸穴７６ａ，７６ｂは、メインシャーシ３１の後方に設けられた一対の支持部材５１ａ，５１ｂに設けられた支軸に嵌合され、カートリッジホルダ３６を軸回りに回動可能とさせる。
【００４７】
さらには、カートリッジホルダ３６の側壁部６３ａ，６３ｂの前面側には、補助ホルダ３２の回動アーム５３，５４の前端側部分に設けられたカートリッジホルダ３６の回動領域を規制する開口部６７ａ，６７ｂに係合される係合片７７ａ，７７ｂが互いに外方に向かって設けられている。これにより、カートリッジホルダ３６は、開口部６７ａ，６７ｂの範囲で回動アーム５３，５４に対して回動可能となると共に係合片７７ａ，７７ｂが開口部６７ａ，６７ｂ上縁に突き当てられた後、回動アーム５３，５４の回動動作に共に回動されることになる。
【００４８】
このように構成されたカートリッジホルダ４２は、図１に示すように、蓋体１２が開状態にある時に、ディスクカートリッジ１が挿入されて、ディスクカートリッジ１を保持した後、機器本体１１側に回動されてメインシャーシ３１に載置されると、再生部４１に装着させる。このようにして、ディスクカートリッジ１０は、位置決めがなされ再生が可能な状態とされる。
【００４９】
蓋本体３７には、図３に示すように、表示部１９や操作ボタン２１，２２，２３からなる入力部が構成される。そして、このような蓋本体４７の裏面側には、入力部の各操作ボタン２１，２２，２３に対応してスイッチ素子７８が設けられると共に配線パターンが形成された可撓性を有するフレキシブル配線基板７９が配設される。そして、フレキシブル配線基板７９は、上述したプリント配線基板３３に電気的に接続される。このようなフレキシブル配線基板７９は、導電材料よりなる金属板８１により支持されて、蓋本体３７の裏面と金属板８１に挟まれるようにして、蓋本体３７の裏面に金属板８１と共に取り付けられる。そして、この金属板８１には、蓋体１２の表示部１９を構成する液晶表示パネル８２がフレキシブル配線基板７９に電気的に接続された状態で支持される。このように金属板８１及びフレキシブル配線基板７９が取り付けられた蓋本体３７には、上述した補助ホルダ３２の回動アーム５３，５４がネジ止めして取り付けられる。したがって、蓋体１２は、蓋本体３７が回動操作されると、補助ホルダ３２の回動アーム５３，５４が回動されると共にカートリッジホルダ３６も回動されることになる。
【００５０】
このような蓋体１２には、蓋体１２が再生部４１を閉塞した状態にロックするロック機構が解除された際に、蓋体１２を開方向に付勢し所定量持ち上げる付勢機構が設けられている。この付勢機構は、図６に示すように、蓋本体３７の裏面に取り付けられる金属板８１に取り付けられる第１の付勢部材８３と、この第１の付勢部材８３と平行に蓋本体３７の裏面に取り付けられる第２の付勢部材８４とを備える。第１及び第２の付勢部材８３，８４は、金属板を打ち抜きして形成される。そして、第１及び第２の付勢部材８３，８４は、蓋本体３７の裏面側の両側、すなわち、カートリッジホルダ３６の側壁部７４ａ，７４ｂに対応して粘着材により取り付けられる。
【００５１】
第１及び第２の付勢部材８３，８４は、その中程に、カートリッジホルダ３６をメインシャーシ３１側に押圧する弾性変位可能なホルダ押圧片８５ａ，８５ｂがカートリッジホルダ３６側に曲折して形成されている。ホルダ押圧片８５ａ，８５ｂは、図７に示すように、カートリッジホルダ３６の天板部に当接され、蓋本体３７が再生部４１を閉塞した状態において、常時カートリッジホルダ３６をメインシャーシ３１の方向に押圧し、蓋本体３７を開方向に付勢している。
【００５２】
また、第１及び第２の付勢部材８３，８４には、図６に示すように、その両端、すなわち、蓋本体３７の前面側及び後端側に対応して、ディスクカートリッジ１をメインシャーシ３１に押圧する弾性変位可能なカートリッジ押圧片８６ａ，８６ｂが設けられている。カートリッジ押圧片８６ａ，８６ｂは、図７に示すように、再生部４１内のディスクカートリッジ１の４コーナ部に当接され、メインシャーシ３１に押圧することで、再生部４１における高さ方向のディスクカートリッジ１の位置決めを図っている。
【００５３】
このように構成される付勢機構は、ホルダ押圧片８５ａ，８５ｂにより常時カートリッジホルダ３６をメインシャーシ３１の方向に押圧し蓋本体３７を開方向に付勢していることから、蓋体１２のロック機構が解除されると、蓋体１２は、自動的に開方向に回動される。この際、蓋体１２は、開口部６７ａ，６７ｂによりカートリッジホルダ３６が規制される範囲で回動される。このように蓋体１２は、ロック機構のロック解除操作がされると、自動的にロック解除状態にされる。したがって、付勢機構は、ロック解除操作を容易にさせる。
【００５４】
そして、このように構成される再生装置１０には、再生部４１を閉塞する状態に維持する蓋体１２のロック機構９０が備えられている。このロック機構９０は、図８及び図９に示すように、蓋体１２に設けられる係合部９１と、係合部９１に係合されるロック部材９２と、ロック部材９２に取り付けられロック部材９２を移動操作する操作部材９３と、ロック部材９２と操作部材９３とを接続すると共にロック部材９２と操作部材９３とを蓋体１２をロックするロック位置の方向へ付勢する弾性体９４とを備える。
【００５５】
係合部９１は、図８及び図９に示すように、蓋本体３７の前面側略中央の裏面側に設けられ、全体として、略Ｌ字を呈して形成されている。そして、係合部９１は、ロック部材９２が進入できるように、ロック部材９２側が開放されて形成されている。また、係合部９１は、図１１に示すように、ロック部材９２と係合する面が自由端側から基端側に向かって下方に傾斜して形成されている。このように係合部９１は、傾斜して形成されていることから、着実にロック部材９２と係合することができる。
【００５６】
ロック部材９２は、図８及び図９に示すように、基体部９５と、この基体部９５に設けられると共に係合部９１に係合されるロック爪９６とを備える。ロック爪９６は、その上縁が基端側から先端側に向かって下方に向かって傾斜して形成され、その下縁が先端側から基端側に向かって上方に向かって傾斜して形成され、全体として先細り状を呈している。そして、基体部９５には、ロック部材９２の移動操作をガイドする第１のガイド孔９７と第２のガイド孔９８とが設けられている。第１のガイド孔９７は、ロック爪９６の側が水平に設けられ、ロック爪９６の反対方向の側が上側に傾斜して形成されている。第２のガイド孔９８は、第１のガイド孔９７に並んで形成され、水平に設けられている。
【００５７】
そして、このような基体部９５には、その下面のロック爪９６側に、弾性体９４の一方の端部が係止される係止部９９が設けられている。また、基体部９５には、その下面側略中央に、操作部材９３を取り付けるための取付け突片１０１が装置外方に向かって設けられている。
【００５８】
このようなロック部材９２は、上述した補助ホルダ３２の枠体５２の前面側側壁に移動可能に取り付けられる。すなわち、ロック部材９２は、第１及び第２のガイド孔９７，９８に第１及び第２のガイド軸１０２，１０３が挿通され、第１及び第２のガイド軸１０２，１０３が補助ホルダ３２の枠体５２の前面側側壁に設けられたネジ孔１０４にネジ止めされて移動可能に取り付けられる。この際、取付け突片１０１は、枠体５２の前面側側壁に設けられた開口部１０４より外にに臨まされる。
【００５９】
操作部材９３は、図８、図９及び図１０に示すように、合成樹脂材料よりなり、操作性の向上を図るため外方に臨まされる操作面側の中央部分が膨出して形成されている。一方、操作部材９３は、操作面とは反対側の取付け面側に、ロック部材９２の取付け突片１０１が係合される係合凹部１０５が設けられている。係合凹部１０５は、操作部材９３の短辺方向の裏面側に設けられた一対の凸条部１０６ａ，１０６ｂとから構成される。そして、このように構成される係合凹部１０５には、枠体５２の開口部１０４より臨まされている取付け突片１０１が係合される。また、操作部材９３が取り付けられた際、ロック爪９６側になる凸条部１０６ａには、弾性体９４の他方の端部が係止される係止部１０７が設けられる。
【００６０】
操作部材９３が取り付けられる外周フレーム３５には、図８に示すように、操作部材９３を取り付けるための取付け凹部１０８が設けられている。この取付け凹部１０８は、操作部材９３の移動領域に対応して直方形状を呈して形成されている。そして、この取付け凹部１０８の中央領域には、長孔状のガイドスリット１０９が設けられている。このガイドスリット１０９は、操作部材９３の凸条部１０６ａ，１０６ｂが挿通され、操作部材９３の移動領域をガイドする。
【００６１】
弾性体９４は、線状部材を曲折して形成された捻りコイルバネよりなり、全体として略Ｕ字状を呈して形成されている。この弾性体９４は、それぞれの端部が上述したロック部材９２の係止部９９と操作部材９３の係止部１０７に係止され、ロック部材９２と操作部材９３をそれぞれ蓋体１２をロックするロック位置の方向、すなわち、図９中矢印Ｘ2方向に付勢している。そして、弾性体９４は、枠体５２に設けられた係止部１００に係止され取り付けられる。
【００６２】
このように構成されるロック機構９０は、通常、弾性体９４により矢印Ｘ2方向に付勢され、蓋体１２が開状態或いは閉状態にあることに関わらず、ロック位置にある。そして、操作部材９３についても、弾性体９４により矢印Ｘ2方向に付勢され、取付凹部１０８の図中左方向であるロック位置にある。そして、蓋体１２を閉方向に操作すると、図１２（Ａ）に示すように、先ず、蓋体１２の係合部９１は、ロック部材９２の頂点に突き当てられる。この際、ロック部材９２は、弾性体９４により図１２中矢印Ｘ2方向に付勢され、蓋体１２をロックするロック位置にある。そして、ロック部材９２は、第１及び第２のガイド軸１０２，１０３が第１及び第２のガイド孔９７，９８の図中最右端に位置される。ロック部材９２は、第１のガイド孔９７が上述したように図中上側に傾斜して形成されていることから、矢印Ｘ4方向に僅かに回動された状態にある。また、操作部材９３についても、弾性体９４に矢印Ｘ2方向に付勢され、ロック部材９２に対応したロック位置にある。
【００６３】
そして、蓋体１２がさらに閉方向に回動操作されると、係合部９１の先端部は、ロック爪９６の上面側の傾斜面を押圧する。すると、弾性体９４により図１２中矢印Ｘ2方向に付勢されたロック部材９２は、図１２（Ｂ）に示すように、係合部９１の先端部に押圧されて、弾性体９４の弾性力に抗して図１２中矢印Ｘ3方向にスライドされる。そして、ロック部材９２は、ロック爪９６が係合部９１を通過するロック解除位置にまで移動される。この際、ロック部材９２は、第１及び第２のガイド軸１０２，１０３が第１及び第２のガイド孔９７，９８の図中最左端に位置され、矢印Ｘ5方向に僅かに回動される。これと共に、操作部材９３もロック解除位置に対応した所定位置にまで移動される。
【００６４】
すると、図１２（Ｃ）に示すように、ロック部材９２は、再度、弾性体９４の弾性力により、係合部９１の開放端から進入し、矢印Ｘ2方向にスライドされる。そして、ロック部材９２は、弾性体９４の弾性力により、ロック爪９６が着実に係合部９１に係合されるロック位置に戻る。この際、上述したようにロック部材９２は、第１及び第２のガイド軸１０２，１０３が第１及び第２のガイド孔９７，９８の図中最右端に位置されることから、第１のガイド孔９７の上側に傾斜した最右端に突き当てられ、矢印Ｘ4方向に僅かに回動された状態にある。したがって、ロック爪９６は、矢印Ｘ4方向に僅かに回動されることから、蓋体１２を閉方向にさらに操作し、着実に蓋体１２をロックする。また、操作部材９３もロック部材９２の動作に連動し、ロック部材９２のロック位置に対応した所定位置に戻る。
【００６５】
また、図１３に示すように、利用者により蓋体１２の前面側コーナー部が押圧され操作された場合、蓋体１２に捻れが生じることになる。この場合、ロック部材９２は、ロック位置にまで戻らず、係合部９１を構成する面にロック爪９６の先端部が突き当たり、ロック位置に戻る途中で止まることになる。しかしながら、ロック部材９２は、係合部９１が自由端側から基端側に向かって下方に傾斜して形成され、ロック爪９６が下縁が基端側に向かって上方に向かって傾斜して形成されていることから、係合部９１とロック爪９６とが着実に係合される。この際、操作部材９３についても、弾性体９４により矢印Ｘ2方向に付勢されていることから、取付け凹部１０８のロック部材９２のロック位置に対応する所定位置まで移動され装置の外観が損なわれることが防止される。
【００６６】
また、図１２（Ｃ）に示す蓋体１２が再生部４１を閉塞した状態から再生部４１を開放する操作をする場合、操作部材９３を矢印Ｘ3方向にスライドさせることで、ロック爪９６と係合部９１の係合状態が解除される。すると、蓋体１２は、上述した付勢機構により開方向に自動的に回動される。その後、操作部材９３及びロック部材９２は、弾性体９４の弾性力により、図１２（Ａ）の状態に戻る。
【００６７】
このようなロック機構９０は、ロック部材９２と操作部材９３とを１つの弾性体９４で矢印Ｘ2方向に付勢していることから、部品点数の削減を図ることができ、装置の小型化を図ることができる。また、例えば補助ホルダ３２の取付け誤差や補助ホルダ３２の変形に伴い、ロック部材９２の位置が所定位置よりずれた場合であっても、蓋体１２を着実にロックすることができる。さらに、このような場合であっても、操作部材９３は、確実に取付け凹部１０８の所定位置に戻り、装置の外観を損なうことを防止することができる。
【００６８】
そして、このようなロック機構９０を備えた再生装置１０は、例えば装置の再生状態中に振動が加えられた場合でも、蓋体１２が振動することが防止され、再生中のディスクカートリッジ１に悪影響を与えることが防止される。また、再生装置１０には、様々な電子部品が配線基板３３，７９に半田付け等により実装されているが、振動により半田付けに亀裂が入り接触不良をおこすことが防止される。
【００６９】
また、弾性体９４は、線状部材を曲折して形成される捻りコイルバネを用いることにより、螺旋状のコイルバネを用いるより小型化が図られ、装置全体の小型化を図ることができる。
【００７０】
なお、以上ロック機構９０について、係合部９１に傾斜面を形成した場合について説明したが、係合部９１に、平面を形成するようにしてもよい。また、以上、ディスクカートリッジ１の再生装置１０について説明したが、これに限定されるものではなく、ディスクカートリッジ１の記録再生装置にも適用でき、また、記録媒体として、テープカセットや光ディスクを用いてもよい。
【００７２】
【発明の効果】
本発明に係る記録再生装置は、ロック手段を係合手段と係合する第１の位置の方向へ付勢する弾性手段を備えることにより、例えば機器本体側に取り付けられるロック手段の取付け位置がずれた場合であっても、ロック手段は、着実に係合手段と係合され、蓋体のがたつき等の振動が防止できる。これにより、装置内に配設される配線基板に半田付け等で実装される電子部品の取付け部に蓋体の振動により亀裂が入り接触不良が生じることが防止できる。また、蓋体のがたつきに伴い記録媒体のがたつきが防止され、正確な記録又は再生が行われることになる。また、操作手段もロック手段の動作に伴って所定位置にまで移動されるが、ロック手段が第１の位置にまで戻らない場合であっても、操作手段が所定位置にまで戻らないことが防止され、装置全体の外観が損なわれることが防止できる。さらには、同一の部材で構成される弾性手段によりロック手段と操作手段を第１の位置の方向に付勢することから、部品点数の削減を図ることができ、また、この弾性手段を例えば線状部材を曲折して形成される捻りコイルバネを用いることにより、螺旋状のコイルバネを用いる場合より、弾性手段の小型化を図ることができる。したがって、このような記録再生装置では、装置全体の小型化が図られる。
【図面の簡単な説明】
【図１】再生装置の蓋体が再生部を開放した状態を示す斜視図である。
【図２】再生装置の全体斜視図である。
【図３】再生装置の分解斜視図である。
【図４】補助ホルダを一方の側から見た側面図である。
【図５】補助ホルダを他方の側から見た側面図である。
【図６】蓋体に設けられる付勢機構を説明するための蓋体の分解斜視図である。
【図７】蓋体に設けられる付勢機構を説明するための蓋体の断面図である。
【図８】ロック機構の分解斜視図である。
【図９】ロック機構の平面図である。
【図１０】操作部材の取付け面側から見た外観斜視図である。
【図１１】ロック機構を構成する係合部の要部側面図である。
【図１２】ロック機構の動作状態を説明するロック機構の側面図である。
【図１３】蓋体の前面側コーナ部を押圧して蓋体を閉方向に回動操作する場合の蓋体の状態とロック部材と係合部との係合状態を説明するための側面図である。
【図１４】従来の蓋体のロック機構を説明するための図である。
【符号の説明】
１  ディスクカートリッジ、２  光磁気ディスク、３  カートリッジ本体、５  シャッタ部材、１０  再生装置、１１  機器本体、１２  蓋体、３１  メインシャーシ、３２  補助ホルダ、３３  プリント配線基板、３４  筐体、３５  外周フレーム、３６  カートリッジホルダ、３７  蓋本体、４１  再生部、５２  枠体、８３，８４  第１及び第２の付勢部材、９０  ロック機構、９１  係合部、９２  ロック部材、９３  操作部材、９４  弾性体、９５  基体部
【図１】
0003837826.tif 000002
【図２】
0003837826.tif 000003
【図３】
0003837826.tif 000004
【図４】
0003837826.tif 000005
【図５】
0003837826.tif 000006
【図６】
0003837826.tif 000007
【図７】
0003837826.tif 000008
【図８】
0003837826.tif 000009
【図９】
0003837826.tif 000010
【図１０】
0003837826.tif 000011
【図１１】
0003837826.tif 000012
【図１２】
0003837826.tif 000013
【図１３】
0003837826.tif 000014
【図１４】
0003837826.tif 000015